【事件の表示】
　特願２００６−１８０１４０号「冷凍装置」拒絶査定不服審判事件〔平成２０年１月１７日出願公開、特開２００８−８５５８号〕について、次のとおり審決する。
【結　論】
　本件審判の請求は、成り立たない。
【理　由】
１．手続の経緯
　本件に係る出願（以下「本願」という。）は、平成１８年６月２９日の出願であって、平成２３年６月２８日付けで拒絶査定がなされ（発送日：同年７月５日）、これに対し、同年９月２８日に拒絶査定不服審判の請求がなされたものである。
　
２．本願発明について 
　本願の請求項１に係る発明（以下「本願発明」という。）は、平成２３年６月１３日付け手続補正書により補正された明細書及び図面の記載からみて、その特許請求の範囲の請求項１に記載された事項により特定される次のとおりのものである。 
「インバータにより可変速駆動される圧縮機、凝縮器、減圧器、蒸発器、送風機などの冷凍サイクル機器、被冷却空間の温度を検知する温度センサ、温度設定器、および前記冷凍サイクル機器を制御する制御装置を備えた冷凍装置において、
　前記制御装置は、当該冷凍装置を親機と子機のいずれかに設定する設定手段、および入出力端子を備え、
　親機に設定された場合、前記温度センサの検知温度と前記温度設定器の設定温度との差に基づき前記圧縮機の速度を制御するとともに、その検知温度および設定温度を表わす運転データを前記入出力端子から出力し、
　子機に設定された場合、親機から出力されて前記入出力端子に入力される運転データから検知温度および設定温度を読込み、その検知温度と設定温度との差に基づき前記圧縮機の速度を制御する、
　ことを特徴とする冷凍装置。」
　
３．刊行物について
　原査定の拒絶の理由において提示された刊行物である特開２００２−１８１４３０号公報（以下「刊行物」という。）には、図面と共に次の事項が記載されている。
a)「【請求項１】  コンプレッサや冷却器から構成された冷却装置と、庫内温度を検出する温度センサを有して前記コンプレッサの運転を制御する制御装置とをそれぞれ備えた複数台の冷却ユニットが取り付けられ、これら複数台の冷却ユニットによって庫内が冷却される冷却貯蔵庫において、
前記各冷却ユニットの制御装置は通信線にて接続されており、何れかの冷却ユニットの制御装置を主制御装置として、当該主制御装置から他の冷却ユニットの制御装置に運転制御用のデータを送信し、当該他の冷却ユニットの制御装置は前記主制御装置から受信したデータに基づいて前記コンプレッサの運転を制御することを特徴とする冷却貯蔵庫。」（【特許請求の範囲】）
b)「【発明の属する技術分野】本発明は、複数台の冷却ユニットによって庫内が冷却される大型のプレハブ冷蔵庫やプレハブ冷凍庫などの冷却貯蔵庫に関するものである。」（段落【0001】）
c)「【発明の実施の形態】次に、本発明の実施形態について図面を参照しながら詳述する。図１は本発明を適用する実施例としてのプレハブ冷蔵庫１の正面図、図２は同プレハブ冷蔵庫１に取り付けられる冷却ユニット２の表示装置３の正面図、図３は同プレハブ冷蔵庫１の電気回路のブロック図である。
　各図において、プレハブ冷蔵庫１は例えばスーパーマーケットにて陳列販売される食品や飲料などを庫内で冷蔵する比較的大型のプレハブ冷蔵庫であり、複数枚の断熱プレハブパネルにて組み立てられた断熱壁４にて構成されている。この断熱壁４の正面には当該断熱壁４の庫内に食品などを納出するため、使用者（作業者）が出入りすることができる断熱扉６が取り付けられている。また、断熱壁４の天井には複数台（実施例では三台）の冷却ユニット２・・が並べて設置されている。
　
各冷却ユニット２は、コンプレッサ７や図示しない凝縮器、減圧装置及び冷却器などから構成された冷媒回路と、凝縮器やコンプレッサ７を空冷するための凝縮器用送風機や冷却器と熱交換した冷気を庫内に吐出させるための送風機を備え
各冷却ユニット２は、庫内温度を検出する温度センサ８を有するプレハブコントローラ
９を備えている
プレハブコントローラ９は
操作用のスイッチ１２を有
している
　各プレハブコントローラ９はＲＯＭ、ＲＡＭなどのメモリを有する汎用の１チップマイクロコンピュータにて構成されている。そして、表示装置３や温度センサ８は係るプレハブコントローラ９の入力に接続され、前記コンプレッサ７や送風機などはプレハブコントローラ９の出力に接続されている。更に、
プレハブコントローラ９はデータ送受信回路を備え
　ここで、上記何れかの冷却ユニット２（実施例では図１の最も左側（断熱扉６に最も近い位置）の冷却ユニット。以後、２Ａとする）のプレハブコントローラ９を親機（主制御装置。以後９Ａとする）とし、他の冷却ユニット２、２のプレハブコントローラ９は子機に設定する。これら
親機・子機の設定は前記スイッチ１２によって行われる
　以上の構成で次に動作を説明する。各冷却ユニット２（２Ａ）の温度センサ８は、当該冷却ユニット２（２Ａ）が設置された位置の下方の領域の庫内温度をそれぞれ検出し、それが接続されたプレハブコントローラ９（９Ａ）に出力している。従って、冷却ユニット２Ａのプレハブコントローラ９Ａの温度センサ８は最も温度が上昇し易い断熱扉６付近の温度を検出しており、図１においてその右隣（中央）の冷却ユニット２の温度センサ８はそれに近い温度を検出するかたちとなる。また、最も右の冷却ユニット２の温度センサ８は断熱扉６から最も離れた位置の庫内温度、即ち、温度が最も低くなりがちな領域の温度を検出していることになる。
　次に、冷却ユニット２Ａの
プレハブコントローラ９Ａ（親機）は、自らに接続された温度センサ８が検出する温度データと設定温度
に基づき、コンプレッサ７
の運転を
制御する
温度データが上限温度に達したらコンプレッサ７を起動
し、下限温度に達したら停止
する
プレハブコントローラ９、９（子機）に通信線１３を介して、自らの温度センサ８が検出した温度データと
運転制御用データを配信する
各プレハブコントローラ９、９（子機）はプレハブコントローラ９Ａ（親機）から送信された運転制御用データを受信し、メモリに記憶する
　これにより、断熱壁４の庫内には各冷却ユニット２Ａ、２、２の冷却器と熱交換した冷気が送風機によりそれぞれ吐出され、庫内に収納された食品などの物品は設定温度に冷蔵されることになる。また、各冷却ユニット２、２のコンプレッサ７は冷却ユニット２Ａのコンプレッサ７に同期して運転・停止制御されるようになり、各冷却ユニット２Ａ、２、２の運転率は均一化され、庫内の領域によって温度斑が発生した場合にも、運転率が極端に低下する冷却ユニットが生じる不都合を解消し、コンプレッサ７などの機器に加わる悪影響を未然に防止して故障発生率の低下と長寿命化を図ることが可能となる。・・・また、各プレハブコントローラ９、９（子機）はプレハブコントローラ９Ａ（親機）から送信された運転制御用データ中の霜取開始データに基づいて、自らの冷却ユニット２の冷却器の霜取を開始する。これにより、各冷却ユニット２、２は冷却ユニット２Ａに同期して冷却器の霜取を開始することができるようになる。
　尚、上述した例で
は運転制御用データ中にコンプレッサ７のＯＮ−ＯＦＦデータを含めてプレハブコントローラ９Ａ（親機）から他のプレハブコントローラ９、９（子機）に送信した
プレハブコントローラ９Ａ（親機）から送信された運転制御用データ中の温度データを用い、各プレハブコントローラ９、９（子機）が自らに設定された設定温度（上限温度、下限温度）と受信した温度データに基づいてコンプレッサ７をＯＮ−ＯＦＦ制御する
　その場合にも通常
設定温度はプレハブコントローラ９Ａと同一値に設定される
d)「また、プレハブコントローラ９Ａ（親機）は、自らの温度センサ８が検出している温度データが異常値を示している場合、或いは、温度データをとれない場合など、当該温度センサ８に異常を来したと判断した場合、先ず、子機となる各プレハブコントローラ９、９から上述の如く受信した温度データと自らの温度センサ８が異常発生前に検出していた温度データとを比較し、自らの温度センサ８が検出していた温度データと最も近似した温度データの冷却ユニット２を選択する。
　この場合は、例えば冷却ユニット２Ａに最も近い図１の中央の冷却ユニット２からの温度データが最も近似していたものとすると、現在
親機となっているプレハブコントローラ９Ａ
自らが親機となる設定に切り替わる
　以後、この中央の冷却ユニット２のプレハブコントローラ９（親機となったプレハブコントローラ）は自らの温度センサ８が検出した温度データに基づいてコンプレッサ７などの制御を実行すると共に、上述した運転制御用データを他の冷却ユニット２Ａ、２のプレハブコントローラ９Ａ、９に送信して上述同様の同期制御を実行する。」（段落【0042】〜【0044】）
e)上記a〜d及び図面の図示内容から、刊行物には、プレハブコントローラ９、９Ａが、コンプレッサ７の運転制御に用いる設定温度を記憶する、メモリからなる
設定温度記憶手段を有する
　
　上記a〜dの記載事項、上記eの認定事項、及び、図面の図示内容を総合勘案すると刊行物には、次の発明が記載されていると認められる。
「コンプレッサ７、凝縮器、減圧装置、冷却器などから構成された冷媒回路と、凝縮器用送風機や冷却器と熱交換した冷気を庫内に吐出させるための送風機を備え、
　庫内温度を検出する温度センサ８、設定温度記憶手段を有し、コンプレッサ７を制御するプレハブコントローラ９Ａ、９を備え備えた冷却ユニット２において、
　プレハブコントローラ９Ａ、９は、親機・子機の設定を行う操作用のスイッチ１２とデータ送受信回路とを備え、
　親機となっているプレハブコントローラ９Ａは、自らに接続された温度センサ８が検出する温度データと設定温度とに基づき、温度データが上限温度に達したらコンプレッサ７を起動し、下限温度に達したら、コンプレッサ７を停止する運転制御を行い、子機となっているプレハブコントローラ９に、データ送受信回路から通信線１３を介して、自らの温度センサ８が検出した温度データを含む運転制御用データを送信し、
　子機となっているプレハブコントローラ９は、親機となっているプレハブコントローラ９Ａから送信された運転制御用データを受信し、設定温度記憶手段に記憶し、運転制御用データ中の温度データと、子機となっているプレハブコントローラ９が自らに設定され、親機となっているプレハブコントローラ９Ａと同一値に設定された設定温度とに基づき、温度データが上限温度に達したらコンプレッサ７を起動し、下限温度に達したら、コンプレッサ７を停止する運転制御を行う冷却ユニット２。」
　
４．対比
　本願発明と刊行物に記載された発明とを対比する。
　刊行物に記載された発明の「コンプレッサ７、凝縮器、減圧装置、冷却器などから構成された冷媒回路と、凝縮器用送風機や冷却器と熱交換した冷気を庫内に吐出させるための送風機を備え」ることと、本願発明の「インバータにより可変速駆動される圧縮機、凝縮器、減圧器、蒸発器、送風機などの冷凍サイクル機器」「を備え」ることとは、「圧縮機、凝縮器、減圧器、蒸発器、送風機などの冷凍サイクル機器を備え」ることで共通する。
　そして、刊行物に記載された発明の「庫内温度を検出する温度センサ８」は、その構成及び機能からみて、本願発明の「被冷却空間の温度を検知する温度センサ」に相当し、以下同様に、
　刊行物に記載された発明の「設定温度記憶手段」は、コンプレッサ７の運転制御に用いる設定温度を記憶するものであるから、本願発明の「温度設定器」に、
　刊行物に記載された発明の「コンプレッサ７を制御するプレハブコントローラ９Ａ、９」は、本願発明の「冷凍サイクル機器を制御する制御装置」に、
　刊行物に記載された発明の「冷却ユニット２」は、本願発明の「冷凍装置」に、
　刊行物に記載された発明の「親機・子機の設定を行う操作用のスイッチ１２」は、本願発明の「冷凍装置を親機と子機のいずれかに設定する設定手段」に、
　刊行物に記載された発明の「データ送受信回路」は、本願発明の「入出力端子」に、
　刊行物に記載された発明の「親機となっているプレハブコントローラ９Ａは、自らに接続された温度センサ８が検出する温度データと設定温度とに基づき、温度データが上限温度に達したらコンプレッサ７を起動し、下限温度に達したら、コンプレッサ７を停止する運転制御を行」うことは、「温度データが上限温度に達」することが、温度データと上限温度の温度差が０になることに等しく、また、「温度データが」「下限温度に達」することが、温度データと下限温度の温度差が０になることに等しく、また、設定温度として、親機となっているプレハブコントローラ９Ａの設定温度記憶手段に記憶された設定温度を用いることから、本願発明の「検知温度と温度設定器の設定温度との差に基づき圧縮機」「を制御する」ことに、
それぞれ相当する。
　また、刊行物に記載された発明の「子機となっているプレハブコントローラ９に、データ送受信回路から通信線１３を介して、自らの温度センサ８が検出した温度データを含む運転制御用データを送信」することと、本願発明の「検知温度および設定温度を表わす運転データを入出力端子から出力」することとは、「検知温度を表わす運転データを入出力端子から出力」することで共通し、同様に、
　刊行物に記載された発明の「子機となっているプレハブコントローラ９は、親機となっているプレハブコントローラ９Ａから送信された運転制御用データを受信し、設定温度記憶手段に記憶し、運転制御用データ中の温度データと、子機となっているプレハブコントローラ９が自らに設定され、親機となっているプレハブコントローラ９Ａと同一値に設定された設定温度とに基づき、温度データが上限温度に達したらコンプレッサ７を起動し、下限温度に達したら、コンプレッサ７を停止する運転制御を行う」ことと、本願発明の「子機に設定された場合、親機から出力されて入出力端子に入力される運転データから検知温度および設定温度を読込み、その検知温度と設定温度との差に基づき圧縮機の速度を制御する」こととは、「子機に設定された場合、親機から出力されて入出力端子に入力される運転データから検知温度を読込み、その検知温度と設定温度との差に基づき圧縮機を制御する」ことで共通する。
　
　したがって、上記両者の一致点及び相違点は、次のとおりである。
［一致点］
「圧縮機、凝縮器、減圧器、蒸発器、送風機などの冷凍サイクル機器、被冷却空間の温度を検知する温度センサ、温度設定器、および前記冷凍サイクル機器を制御する制御装置を備えた冷凍装置において、
　前記制御装置は、当該冷凍装置を親機と子機のいずれかに設定する設定手段、および入出力端子を備え、
　親機に設定された場合、前記温度センサの検知温度と前記温度設定器の設定温度との差に基づき前記圧縮機の速度を制御するとともに、その検知温度を表わす運転データを前記入出力端子から出力し、
　子機に設定された場合、親機から出力されて前記入出力端子に入力される運転データから検知温度を読込み、その検知温度と設定温度との差に基づき前記圧縮機制御する、
　ことを特徴とする冷凍装置。」
　
［相違点１］
　圧縮機及びその制御が、本願発明では、圧縮機がインバータにより可変速駆動されるものであり、その制御が、速度を制御するものであるのに対して、刊行物に記載された発明では、圧縮機が可変速駆動されるものではなく、その制御が起動、停止による運転制御である点。
　
［相違点２］
　親機の入出力端子から出力され、子機に読み込まれる運転データが、本願発明では、検知温度および設定温度であるのに対して、刊行物に記載された発明では、検出した温度データであり、設定温度は、子機となっている各プレハブコントローラ９自らに設定されている点。
　
５．当審による判断
（１）上記相違点１について
　冷凍装置の技術分野において、圧縮機をインバータにより可変速駆動するものとし、速度制御することは、本願出願前から慣用的に用いられている技術事項である。
　してみると、刊行物に記載された発明において、圧縮機を起動、停止による運転制御に換えて、インバータにより可変速駆動するものとして、速度を制御するものとすることは、当業者が容易になし得たことである。
　
（２）上記相違点２について
　刊行物に記載された発明では、温度データを含む運転制御用データを、親機となっているプレハブコントローラ９Ａから子機となっているプレハブコントローラ９へと送信するものである。
　そして、刊行物に記載された発明では、設定温度を各プレハブコントローラ９Ａ、９自らに設定して温度制御に用いているが、子機となっている各プレハブコントローラ９自らに設定された設定温度は、親機のプレハブコントローラ９Ａに設定された設定温度と同一値である。
　また、刊行物には、前記３．c)に、「
運転制御用データ中にコンプレッサ７のＯＮ−ＯＦＦデータを含めてプレハブコントローラ９Ａ（親機）から他のプレハブコントローラ９、９（子機）に送信した
　さらに、親子接続された複数の冷却装置の間で、設定された庫内温度を他の冷却装置へ伝送させることは、例えば、原査定の拒絶の理由において提示された刊行物である特開２００５−７６９９８号公報の段落【0038】に記載されているように、冷凍技術の分野において、本願出願前に普通に用いられている技術事項である。
　してみると、刊行物に記載された発明において、コンプレッサ７の起動、停止の判断に用いる設定温度について、設定温度を各子機となっているプレハブコントローラ９自らに設定記憶することに換えて、送信する運転制御用データに温度データのみならず設定温度を含ませるものとし、親機となっているプレハブコントローラ９Ａから、子機となっている各プレハブコントローラ９に設定温度を送信し、子機となっている各プレハブコントローラ９の当該設定温度を記憶させ、上記相違点２に係る本願発明が具備する発明特定事項に到達することは当業者が容易になし得たものである。
　
（３）小括
　本願発明の奏する効果についてみても、刊行物に記載された発明及び周知の技術事項から当業者が予測できた効果の範囲内のものである。
　
６．むすび 
　以上のとおりであるから、本願発明は、刊行物に記載された発明及び周知の技術事項に基づいて当業者が容易に発明をすることができたものであり、特許法第２９条第２項の規定により特許を受けることができない。
　したがって、本願は拒絶すべきものである。
　
　よって、結論のとおり審決する。